(57)【特許請求の範囲】
【請求項１】
照明のための多機能供給エレメントであって、保持エレメント、スタンドまたは壁取付け装置の形態に構成された支持体（１）を備え、該支持体（１）には、少なくとも一つの照明エレメント（２）と、少なくとも一つの熱を放射する加熱エレメント（３）と、少なくとも一つの付加的な機能エレメントが配置されている多機能供給エレメントにおいて、
前記少なくとも一つの付加的な機能エレメントは、水蒸気または微細な霧状水のための噴霧装置（６）として構成され、
前記支持体（１）は、多機能供給エレメントを吊り下げ固定するための固定手段（５）の下方端部に配置されており、該固定手段（５）は、スタンド脚または天井ホルダまたは壁ホルダに配置されており、
別の加熱エレメント（３）および／または付加的な機能エレメントの少なくとも一つが別個の部分ハウジング内に配置されており、該部分ハウジングは支持体（１）と回転可能または旋回可能に接続されている、ことを特徴とする多機能供給エレメント。
【請求項２】
前記少なくとも一つの付加的な機能エレメントは、バックグランド照明パネルとして、照明エレメント（２）として、またはスピーカとして構成されている、ことを特徴とする請求項１に記載の多機能供給エレメント。
【請求項３】
加熱エレメント（３）および／または付加的な機能エレメントの少なくとも一つが、共通のハウジング内に固定して、または旋回可能に配置されており、該ハウジングは支持体（１）と固定して、または回転可能あるいは旋回可能に接続されているか、もしくは支持体（１）により保持されている、ことを特徴とする請求項１または２に記載の多機能供給エレメント。
【請求項４】
支持体（１）は、三つ以上のコーナーを備える多角形に構成されており、
加熱エレメント（３）が支持体（１）のコーナーの間に固定して、または旋回可能あるいは回転可能に配置されており、付加的な機能エレメントが支持体（１）のコーナーに固定して、または旋回可能あるいは回転可能に配置されている、ことを特徴とする請求項１から３までのいずれか一項に記載の多機能供給エレメント。
【請求項５】
支持体（１）の各コーナーには、機能エレメント、とりわけ照明エレメント（２）が配置されており、支持体（１）はコーナーの間に直線状の区間を有し、
さらなる機能エレメントが直線状の区間に沿って配置されており、固定して、あるいは回転可能にまたは固定点を中心に旋回可能に支持体（１）と接続されている、ことを特徴とする請求項４に記載の多機能供給エレメント。
【請求項６】
機能エレメントが、隣接する機能エレメントおよび／または加熱エレメント（３）に固定されているか、または連結されている、ことを特徴とする請求項１から５までのいずれか一項に記載の多機能供給エレメント。
【請求項７】
回転または旋回可能な機能エレメント、および／または回転または旋回可能な加熱エレメント（３）が電動的に駆動され、かつ調整可能であるように構成されている、ことを特徴とする請求項１から６までのいずれか一項に記載の多機能供給エレメント。
【請求項８】
バックグランド照明パネルが、コンピュータまたはテレビジョン受信機を介して制御可能な電子的ディスプレイであるか、またはランプハウジングと、少なくとも一つのバックグランド照明として機能する光源と、該光源の前方に配置された光透過性のパネルであって、該パネル上に配置された広告またはその他のメッセージを表示するところのパネルとによって形成されている、ことを特徴とする請求項１から７までのいずれか一項に記載の多機能供給エレメント。
【請求項９】
支持体（１）は、円形、楕円形または多角形に構成されており、少なくとも一つの機能エレメントまたは加熱エレメント（３）は、支持体（１）の中央に固定して、あるいは入れ子式ロッドにある固定部を介して長さが可変に、および／または回転可能に配置されている、ことを特徴とする請求項１から８までのいずれか一項に記載の多機能供給エレメント。
【請求項１０】
固定手段（３）は、中空シリンダ状のロッドにより形成されており、該ロッドの下方端部が支持体（１）に固定して、また回転可能に接続されており、該ロッドの内部中空室には接続線路が案内されている、ことを特徴とする請求項１から９までのいずれか一項に記載の多機能供給エレメント。
【請求項１１】
固定手段（３）は回転可能に支持体（１）と接続されており、恒久的な回転のため、または回転角調整のために電動的に駆動可能である、ことを特徴とする請求項１から１０までのいずれか一項に記載の多機能供給エレメント。
【発明の詳細な説明】
【技術分野】
【０００１】
本発明は、とりわけ照明、暖房、空調、音響、および／または閉じた室内あるいはアウトドア領域での情報伝達のための多機能供給エレメントに関する。
【０００２】
とりわけ本発明は、ハウジングまたはハウジング部分に組み込まれた熱放射器の形態の加熱エレメントと、スピーカ、放水冷却エレメントまたは照明エレメントの形態の別の機能エレメントとを備える供給エレメントに関する。さらに本発明は、支持体と、該支持体に配置され、光を放射するそれぞれ少なくとも一つの発光エレメントと、熱線を放射する加熱エレメントとを備える光・熱放射器に関する。
【背景技術】
【０００３】
この形式のコンビネーション型供給エレメントは、照明および加熱エレメントとして刊行物１から公知である。そこに記載された光・熱放射器では中央ハウジングが設けられており、この中央ハウジングが長く伸ばされたロッドの形の赤外線放射器を含む。このハウジングの両側には、このハウジングに旋回可能に接続されたランプハウジングが設けられており、ランプハウジングはそれぞれハロゲン放射器を有する。このコンビネーション型光・熱放射器は、熱だけでなく同時に光も、一つの設備と接続することができるという利点を有し、このような光・熱放射器の組合せは、好ましくは飲食店領域、家庭のテラス領域、またはバルコニーで使用することができる。
【０００４】
このような利点があるにもかかわらず、公知の光・熱放射器は、その取付け個所またはフレキシビリティに関して多少の欠点を有する。たとえば一つには、長く伸ばされた光・熱放射器を、沿って取り付けることができる平面または直線の取付けエッジが存在していなければならない。さらに、加熱ロッドまたはガス燃焼個所が配置された単純なハウジングを備える、競争相手である単純なモジュールと比較して、公知の光・熱放射器の魅力が十分には大きくないことがしばしばである。たとえば公知のコンビネーション型光・熱放射器は多くの個所で使用するのが困難であり、たとえばテント、日よけ、または円形のパビリオンで使用するのが困難である。
【０００５】
たとえば光または熱源として、その作用が側方または下方に伸びるだけでなく、室内でむしろ中央に、または半径方向で外に放射するように配置することのできる機能エレメントを、供給エレメントに設けることができることもしばしば望まれることである。
【先行技術文献】
【特許文献】
【０００６】
【特許文献１】欧州特許出願公開第１５３０４０４号
【発明の概要】
【発明が解決しようとする課題】
【０００７】
したがって本発明の課題は、冒頭に述べた形式の多機能供給エレメントを提供することであり、この多機能供給エレメントができるだけフレキシブルに室内に配置することができ、その際にできれば付加的機能を有し、これによりさらなる購買意欲をかき立てることができるようにすることである。本発明の第２の課題は、種々の形式の機能エレメントを使用することにより、また供給エレメントにおけるそのフレキシブルな配置により、できるだけ大きな機能多様性を有する多機能供給エレメントを提供することである。
【課題を解決するための手段】
【０００８】
第１の課題は、本発明により請求項１の多機能照明および加熱エレメントによって解決される。さらなる課題は、請求項２または３による供給エレメントによって解決され、従属請求項は両方の課題のさらなる解決のための有利な改善形態を記述する。
【０００９】
照明エレメントまたは加熱エレメントとして構成された多機能供給エレメントの本発明による構成により、一方では、照明モジュールまたは加熱モジュールの他に別の形式の機能エレメントを有する支持体を使用することができる。供給エレメントの支持体の改善形態により、もう一方では、供給エレメントを室内に吊り下げることが、または壁またはポールに固定することができる。このために支持体はスタンド脚として、またはたとえば吊り下げられたランプの形態の吊り下げ手段として構成されており、したがって供給エレメントをスタンドランプまたは吊りランプの形式に構成し、使用することができる。
【００１０】
もっとも簡単な場合、本発明の供給エレメントは、二つの異なる機能を有するモジュールからなる。光放射器と熱放射器の組合せについてはすでに上に述べた従来技術で公知であるが、一つまたは複数の加熱エレメントを有する供給モジュールを、冷却装置、たとえば冷たい水蒸気または霧状の水を噴霧する噴霧エレメントと組み合わせることができる。このような簡単な供給エレメントは、固定装置を介して壁または天井に固定することのできるハウジング内に設けることができる。
【００１１】
しかし、一つの支持体に共通に配置されたさらなる機能モジュールとの組合せが好ましい。たとえばすべての機能モジュールを、共通の固定部により互いに取付け、共通のバスシステムを介して最適に供給することができる。加熱エレメントと冷却エレメントを一つの供給エレメントに組み合わせることは、日よけ、ビーチパラソル、テントまたはテラスでの使用に対してとくに魅力的であり、ここでは供給エレメントをそれぞれの支持棒に、または中央ポールに取り付け、固定することができる。
【００１２】
以下、本発明の利点を、とりわけ種々の機能エレメントから統合された供給エレメントに基づいて説明する。これらの機能エレメントは一つの共通の支持体に配置されており、支持体は、供給エレメントが加熱吊りランプの形態に構成されるように構成されている。この組合せは単なる例であり、他のすべての形式の機能エレメントを、ここに説明する機能エレメントと組み合わせて、とりわけ照明機能または加熱機能あるいは冷却機能に基づく多機能エレメントの形成のために使用することができ、これらの機能は支持体を介して種々の基本形態に編成することができる。
【００１３】
とりわけ熱放射器は、蒸発エンタルピーを介して冷却を行う、霧状の水を噴霧するための前記エレメントと、および／またはスピーカと、および／または照明エレメントと組み合わせることができる。
【００１４】
固定手段は、コンビネーション型光・熱放射器の好ましい、とくに価値のある優雅な構成では、特殊鋼製ロッドまたは、その他の材料からなるロッドとすることができる。ロッドは入れ子式ロッドとして構成することができ、これにより光・熱放射器が垂直方向に調整可能である。この入れ子式ロッド機能も電動的に駆動することができ、したがって高い空間でも、たとえば遠隔操作により高さ調節することができる。
【００１５】
これに対して、コンビネーション型光・熱放射器の単純または質素で優雅な構成体も、通常の張引手段、たとえばチェーンまたはワイヤザイルに吊すことができる。照明エレメントまたは加熱エレメントに所要の電圧を電流供給するための電流供給部は、好ましくは長く伸ばされた固定手段に沿って延在しており、この固定手段に支持体が固定されている。
【００１６】
もちろん、複数のロッドまたは張引手段により固定手段を形成することもでき、これらはたとえばＶ字形に、または天井から逆さの三脚の形式で吊すことができる。後者の構成は、天井が存在しないか、または相応の力を吸収するのに天井が適していない場合に好ましくは考慮される。
【００１７】
好ましくは支持体は多角形に構成されており、三つ以上のコーナー領域を本発明の意味で「コーナー」として有し、これらのコーナーはもちろん丸められていても良い。これらのコーナーにも、さらなる機能エレメントを配置することができ、たとえばコーナーの少なくとも数カ所に照明エレメントとしての機能エレメントを設けることができる。これらの機能エレメントは、支持体における他の位置と同じようにそこで回転可能または旋回可能に連結することができ、これにより機能性をさらに高めることができる。照明エレメントとは択一的に、コーナーに前記の水噴霧冷却エレメントを設けることもできる。
【００１８】
さらにすべての機能エレメントを、入れ子式支承部を介して引き出すことができ、すなわち本来の固定個所から引っ張ることができる。簡単に解離される固定部および標準接続システムを介して、機能エレメントをその時々に使用される形態において迅速に取付け、交換することができる。
【００１９】
コンビネーション型光・熱放射器のとくに魅力的な構成では、たとえば三角形の支持体のすべてのコーナーに照明エレメントが配置され、これらが別個のランプハウジングを有することができる。ランプハウジングは、たとえば一つまたは複数のハロゲン放射器を有することができ、放射器自体またはランプハウジング自体を回転可能または旋回可能に構成することができる。もちろん照明強度は、そのような機能が望まれるなら，対応する調光器を介して調整可能に構成することができる。
【００２０】
対向する二つのコーナーの間に、支持体の縁部に沿って加熱エレメントが配置される。ここでもすべての縁部に加熱エレメントを設けることができ、または数カ所だけに加熱エレメントを配置することができる。加熱エレメントは好ましくは、内部に赤外線放射加熱ロッドを備えるハウジングを有する。このようなハウジングは一般的に公知であり、通常は、反射器内に配置されたロッドを支持する反射器として構成されている。ここで反射器自体は、保護格子を介して覆われており、したがってヒト、またははためく物体が加熱ロッドに接触するのが回避される。ハウジングは支持体自体に固定するか、またはハウジングが二つの照明エレメントの間に配置されている場合、照明エレメント自体に固定することができ、この照明エレメントがさらに支持体に固定される。
【００２１】
好ましくは、加熱エレメントは回転可能または旋回可能に、支持体にまたは二つの照明エレメントの間に配置されている。このようにして加熱エレメントの放射角を調整することができ、たとえば照射すべき空間の大きさに応じて異なる角度を調整することができる。照射角が調整可能であることは、加熱エレメントが出力制御を介して熱量を調整できる場合にもとくに実用的であり、これによりたとえば、小さな室内で下方に向かって比較的強力に放射する加熱エレメントでは小さな加熱出力が選択され、一方、同じコンビネーション型光・熱放射器が比較的広い室内で使用される場合には、熱放射の放射角をさらに広げ、比較的大きな出力を調整することができる。
【００２２】
熱放射の放射角と光の放射角が、それぞれの出力の調整可能性と関連して調節可能であることにより、コンビネーション型光・熱放射器を万能に使用することができ、したがってこれをその時々の使用場所に適合することができる。
【００２３】
通例は、供給エレメントは室内に吊される。すなわち上方から天井または壁の縁部に吊り下げられる。択一的にもちろん、固定手段を下方に延長することもでき、したがって固定手段を床に支持することができる。この場合、供給エレメントは実質的に多機能暖房スタンドまたはスタンドランプの形を有し、ここでは通常のガス暖房スタンドで公知のように、追加のカバーエレメントがコンビネーション型光・熱放射器を天気の影響から保護することができ、このカバーエレメントは上方に放射される熱に対する反射器として用いることができる。
【００２４】
贅沢な施設では、たとえば加熱エレメントおよび照明エレメントである機能エレメントの調整を電動的に駆動することができる。ここではとりわけ遠隔操作が提供され、遠隔操作を介して光または熱放射の放射角を調整することができる。このことは、供給エレメントが手動調整を妨げる高さに配置されている場合、または危険性が存在し、機器が加熱されているため、火傷のおそれなしに照射角を変化させることができない場合に推奨される。
【００２５】
照明エレメントは通常のランプとすることができる。ここでランプの全体的な形状では、上にすでに述べたハロゲンスポットライトでも、古典的な省エネルギーランプでも使用することができる。照明エレメントは任意の形式の反射器を有することもでき、照明エレメントが加熱エレメントの非常に近くに配置されている場合、反射器は加熱エレメントに対する保護機能も付加的に引き受けることができる。この保護機能は択一的に、加熱エレメントのハウジングによっても引き受けることができる。
【００２６】
択一的に照明エレメントとして、バックグランド照明され、光透過パネルを有する広告支持体を使用することもでき、この光透過パネルにたとえば広告を取り付けることができる。このような広告支持体は、通常のランプと組み合わせて使用することができ、したがってコンビネーション型光・熱放射器は広告機能も、照明機能も引き受けることができる。
【００２７】
室内の照明が他のやり方で確保されていれば、たとえば飲食店内でビール広告のとくに効率的な位置付けを可能にする広告エレメントだけを使用することができる。このようにしてコンビネーション型光・熱放射器は付加的な広告機能を獲得し、この広告機能により、多くのユーザーが装置の調達に資金を出すことが可能になる。同時に、外が暖かいため暖房が必要でない時間中も機能が保証される。
【００２８】
コンビネーション型光・熱放射器は、機能性を高めるために付加的な構成エレメントを有することができる。とくに有利な構成では、たとえば支持体の中央の領域にスピーカが配置され、スピーカを介してバックグランド音楽または情報を室内で伝達することができる。このスピーカのための信号伝達は、好ましくは支持体の固定手段に対して平行に延在する供給線路を介して行われる。
【００２９】
スピーカの代わりに、夏に換気機能を提供するベンチレータを使用することもでき、冬には加熱エレメントが室内を暖房する。
【００３０】
場合により、室内で上昇した暖かい空気を再び下方に流れさせるベンチレータを付加的に使用することもでき、これにより部屋の下方領域にある冷たい空気と部屋の上方部分にある暖房された空気とを連続的に交換することができる。ベンチレータの回転翼が加熱エレメントの領域を覆っている場合、もちろん適切な間隔または適切な材料によって、回転翼が熱放射により損傷されないことを保証しなければならない。
【００３１】
上記のさらなる機能エレメントとは択一的にまたはそれに補充的に、光・熱放射器は水冷装置を有することもできる。とりわけ外気温の高い地域では、外気温が高い場合に冷却能力に需要がある。このために水噴霧装置を設けることができ、この装置はスピーカのように支持体の中央領域に設けることができる。このような水噴霧装置は水霧または微細な水滴を噴霧することができ、これが暖かい外気中で蒸発し、その結果、気化冷却が室内の温度を低下させ、部屋冷却を行う。
【００３２】
最後に、本発明のさらなる構成により、支持体自体が、固定手段を備える継手と接続することができる。この継手は、一方で支持体の傾斜を調整可能、ロック可能にし、これにより光・熱放射器は固定手段の異なる角度に適合することができ、またはシステム全体の放射角を調整することができる。さらなる可能性は、支持体がたとえば電気モータを介して回転され、このようにして熱放射が部屋全体を広範囲に網羅することができ、角度領域にわたって連続的に分散できる場合である。
【００３３】
モジュール式供給エレメント、たとえば種々の形式の機能エレメントを備えるモジュールシステムは、本発明のシステムより簡単かつ容易に置換することができる。このために、平行にまたは順番に一列に配置され、少なくとも部分的に互いに異なる機能を有するモジュールを、機能エレメントとして使用することができる。機能モジュールも同様に以下の形式リストから選択することができる（他の機能ももちろん同様に使用可能である）。
・熱を放射する少なくとも一つの熱放射器を備える暖房モジュール、
・光を放射する少なくとも一つの照明エレメントを備える照明モジュール、
・少なくとも一つのスピーカを備える音響モジュール、
・バックグランド照明される少なくとも一つの情報パネルまたはディスプレイを備える表示モジュール、
・水蒸気または水霧を放出する冷却モジュール、
・情報入力のための入力モジュール、
・情報記録のため、または室内監視のためのマイクロフォンモジュールまたはカメラモジュール、
・他の機能モジュールの個々の機能またはすべての機能の組合せを備える多機能モジュール。
【００３４】
このように形成された機能モジュールは、供給エレメントがモジュール構造の場合、たとえば中央の供給接続部を介して給電され、この供給接続部を介しこの供給接続部から、その機能に必要な入力端を備える機能モジュールが、バスシステムの供給線路を介して給電される。
【００３５】
ここで供給接続部は好ましくは、たとえば建造物設備の外部モジュール端子と接続される。バスシステムは、機能モジュールのすべての機能エレメントにエネルギー供給および給電するために必要な線路を有する。バスシステムは、支持体の中を、または支持体に沿って伸長し、適切なインタフェースを介して機能エレメントと接続可能である。
【００３６】
このモジュール式供給エレメントの好適な改善形態では、各出力インタフェースが、供給系統のすべての供給線路との接続を可能にするように構成されており、これによりいずれの形式の機能モジュールでも各出力インタフェースに接続することができる。機能エレメントが接続されていない場合、すなわちインタフェースが変更可能な場合、インタフェースは、線路、とりわけ水または蒸気管路を自動的に閉鎖するように構成することができる。これはたとえば圧力管路から公知である。電気接続部はたとえば、バネ状に飛び出たスリーブを介して自動的に絶縁することができる。
【００３７】
機能エレメントと供給接続部との接続は、ドイツ特許出願第１０２００８０５５５８５．１号に記載のように実施することができる。したがってこの特許出願からの特徴は、モジュール列を形成するために、複数の機能エレメントを順番に配置することのできる支持体にある「小型」モジュール列との関連で、同様に適用することができ、この参照により本発明の構成部分であると、明示的にみなされる。前記特許出願では給電系統と称される給電バスは、支持体に配置された互いに独立の機能エレメントにスター形で給電するか、または個別のモジュール列に給電する。
【００３８】
一つの接続形式を介して機能エレメントに供給するために、汎用のバスシステムを使用することがとくに実用的である。なぜならこれにより支持体をユーザー専用に装備することが可能になるからである。たとえば加熱エレメントまたは冷却エレメント（ウォータースプレー）を使用するために、一つの同じ支持体を使用することができ、これにより冬期機器用の支持体を夏期機器用の支持体のように使用することができる。
【００３９】
バスシステムおよびこれへの接続部は、機能エレメントをそれぞれのソケットに接続する際に、各プラグが必要な線路を開放し、または接続を行うように実施される。このことは電気プラグ接続により、あるいはたとえば液圧機構または空気圧機構から公知の弾性負荷された弁により行うことができる。
【００４０】
インタフェースは、特定の形式の各機能エレメントがドッキング可能であるように構成されており、このとき好ましくは、機能に必要な線路だけが接続される。もちろん、バスシステム全体が機能エレメントのハウジングによりループ接続されても良い。すなわちハウジングの出口個所に別の機能エレメント用の接続部が設けられ、この接続部に機能エレメントの機能に関係なく、他の任意の形式の機能エレメントを機能的に接続可能にするのである。
【００４１】
さらに汎用のバスシステムおよび接続システムはモジュール構造を可能にし、これによりユーザーは望みに応じて供給エレメントの機能性を、個人的希望またはセッションの希望に適合することができる。これは、ユーザーの側でまたは製造業者の側でフレキシビリティを構築する、システムのユニット構造を可能にする。
【００４２】
本発明のさらなる特徴および利点は、従属請求項および図面に基づく以下の好ましい実施例の説明から明らかとなる。
図面の簡単な説明
【図面の簡単な説明】
【００４３】
【図１】吊りランプの形態に構成された本発明の供給エレメントの実施例を示す図である。
【図２】壁ホルダまたは天井ホルダを備える供給エレメントの別の構成を示す図である。
【図３】本発明と関連して使用される、熱放射器として構成された機能エレメントを示す図である。
【図４】本発明と関連して使用される、照明エレメントとして光ブレットの形態で構成された別の機能エレメントを示す図である。
【図５】本発明と関連して使用される、流れる文字用の表示エレメントとして構成された第３の機能エレメントを示す図である。
【図６】本発明と関連して使用される、加熱エレメントと二つの外側水噴霧エレメントから構成された第４の機能エレメントを示す図である。
【図７】バスシステムへの接続部を有する、照明エレメントとして構成された機能エレメントを示す図である。
【発明を実施するための形態】
【００４４】
図１に示されたコンビネーション型光・熱放射器は、固定手段５に配置された三角形の支持体１を有する。
【００４５】
この固定手段５はここでは中空シリンダ状のロッドとして構成されており、光・熱放射器の他の部品と同じように特殊鋼から作製されている。固定手段５の中空シリンダ状ロッドの中には、コンビネーション型光・熱放射器の構造部材用の供給線路が収容されており、したがってこの線路は見ることができずに上方へ案内されている。ここで固定手段５はたとえば部屋の天井に固定され、支持体１は固定手段５の下方端部に取り付けられている。支持体１は、ここではプレートの形態の三角形の基本形状を有する。このようなプレートの代わりに、もちろんバーまたは他のいずれかの支持体形状も使用できる。
【００４６】
三角形支持体１は、その三つのコーナーにそれぞれ一つの照明エレメント２を有し、この照明エレメント２はここではランプハウジングにより形成されている。このランプハウジングは、上方および下方に照射し、垂直または水平に対してある程度の角度で、ここに円により示したハロゲンスポットライトを有する。このようにしてコンビネーション型光・熱放射器は、部屋の天井も床領域も照明することができる。
【００４７】
相応の大きさの照射角を備えるハロゲンスポットライトを使用することにより、室内が十分に均等に照明される。しかしここではそれぞれ照明手段と照明エレメント２自体の選択により、各ユーザーの希望をほとんど満たすことができる。必要なら付加的な光学効果を達成するために、色付きランプを使用することもできる。
【００４８】
ここに示した光・熱放射器が野外で、娯楽イベントと関連して使用されるべき場合、対応する機能を介して、カラーオルガンの機能を照明エレメント２により満たすことができ、または電動駆動され、旋回可能な照明手段でのその他の光効果、たとえばレーザーショー等も可能である。さらに光・熱放射器にはこの場合、スモーク発生器を設けることができ、スモーク発生器はたとえばダンスイベントで対応する効果を引き起こすことができる。
【００４９】
照明エレメント２の間には、ここに図示したコンビネーション型光・熱放射器ではそれぞれ加熱エレメント３が設けられている。この加熱エレメント３は二つの支承部を介して照明エレメント２のハウジングと結合しており、支承部は一方で加熱エレメント３の反射器ハウジングと、他方で照明エレメント２のハウジングと結合されている。これにより加熱エレメント３を二つの照明エレメント２の間に回転可能に支承することができる。したがってこのように構成されたコンビネーション型光・熱放射器は三つの照明エレメントと三つの加熱エレメントを有し、ここではとくに効率的な空間照明が可能である。
【００５０】
コンビネーション型光・熱放射器の中央には、図示の実施例でスピーカ４が配置されている。このスピーカ４にも同様に、固定手段５を通して上方に貫通案内される供給線路を介して必要な信号が供給される。このようなスピーカの代わりに、別の色付きランプ、冷却エレメントまたはスモーク発生器を、上にすでに述べた作用のために設けることもできる。
【００５１】
本発明によれば、支持体は三角形または四角形のエレメントの使用に制限されるのではなく、基本的に円板または楕円板も含めたあらゆる形状が考えられる。さらに支持体は機能エレメントのハウジング自体によっても形成することができ、これらの機能エレメントはたとえば三角または円形に配置され、一方では相互に接続され、他方では少なくとも部分的に固定手段または保持手段が設けられている。すべての機能エレメントの基本形状も、もちろん通常の範囲で変化して良い。
【００５２】
図２には、ここでは一列に並置された機能エレメントを有する本発明のさらなる構成が示されている。これらの機能エレメントは、外から内に向かって各側にまずそれぞれ一つの水噴霧エレメント、照明エレメント２、そして中央に中央加熱エレメント３を含む。機能エレメントはここでも共通の支持体１に配置されており、支持体１はさらに、壁またはパラソルフレームまたは日よけフレームに固定可能な固定装置５を介して保持されている。
【００５３】
ここではすべての機能エレメントが相互に、そして支持体１に対して回転可能に構成されている。このことはたとえば、個々の機能エレメント間に対応して構成された支承ブロックにある支承部を介して、または支持体１を少なくとも部分的に形成する共通の支持ロッド上にある支承部を介して実現可能である。
【００５４】
図３から５には、例として三つの可能な機能エレメントが示されている。これらは、図３では加熱エレメント、図４では照明装置としての照明バー、そして図５では広告および流れる文字用の表示装置である。
【００５５】
図６は、単純ではあるが、非常に魅力的な供給エレメントを示す。この供給エレメントは独立して使用することができ、または機能エレメントとして上に説明したコンビネーションと関連しても、汎用のバスシステムと接続すれば使用することができる。ここで支持体１は、天井または壁に取り付けるために湾曲したホルダの形状にあり、湾曲した二つの脚部にハウジングが配置されていて、ハウジング内には側方に二つの水噴霧エレメント６と、その間の中央に加熱エレメント３が配置されている。
【００５６】
機能的には反対の二つの個別機能を組み合わせると、この機能エレメントがとくに魅力的になる。なぜならこれを多種多様に使用することができるからである。たとえばこのようなエレメントはほとんど一年中、すべての緯度で使用することができる。なぜなら温暖な地域でも晩には暖房作用が望まれることがあるからである。ここで本発明の利点は反対に、冷却装置が加熱機能により拡張されることである。
【００５７】
最後に図７は、汎用のバスシステムを概略的に示すため、機能エレメントを断面図に示す。支持体１は、機能エレメントのハウジングに向いた側にバスチャネルを有し、このバスチャネル内に、設けられた機能エレメントを接続するために必要なすべての線路が案内される。
【００５８】
接続部は、バスシステムの適合するソケットに挿入することのできる汎用のアダプタプラグを介して、必要な媒体（圧力水、蒸気、給電、データ、ビデオ信号またはオーディオ信号）を取り出すことができるように構成されている。
【符号の説明】
【００５９】
１  支持体
２  照明エレメント
３  加熱エレメント
４  スピーカ
５  固定手段
６  水または蒸気用の噴霧エレメント
【図１】
0005574125.tif 000002
【図２】
0005574125.tif 000003
【図３】
0005574125.tif 000004
【図４】
0005574125.tif 000005
【図５】
0005574125.tif 000006
【図６】
0005574125.tif 000007
【図７】
0005574125.tif 000008